(57)【要約】【課題】  報知制御情報の送受信タイミングの同期に使用されるタイマ値を音声，映像の送信データに付加して送信することにより、簡易な方法で、再生データの高精度な同期を可能とすること。【解決手段】  本発明の無線送信装置１０１は報知制御情報の送受信タイミングの同期に使用されるタイマ値を所定時間間隔毎に更新するタイマ１０２と、通信相手の無線受信装置２０１に送信するデータにタイマ１０２が示すタイマ値を付加するタイムスタンプ付加部１０３と、タイマ１０２が示すタイマ値を含む報知制御情報と、タイムスタンプ付加部１０３が出力するデータとを無線を介して送信する送信部１０４とを具備した。【選択図】  図１
2007096971.tif 000002
【特許請求の範囲】
【請求項１】
報知制御情報の送受信タイミングの同期に使用されるタイマ値を所定時間間隔毎に更新するタイマと、
通信相手の無線受信装置に送信するデータに前記タイマが示すタイマ値を付加するタイムスタンプ付加部と、
前記タイマが示すタイマ値を含む報知制御情報と、前記タイムスタンプ付加部が出力するデータとを無線を介して前記無線受信装置に送信する送信部とを具備することを特徴とする無線送信装置。
【請求項２】
通信相手の無線送信装置から無線を介して送信される報知制御情報とデータを受信する受信部と、
前記報知制御情報の送受信タイミングの同期に使用され、前記無線送信装置から受信した報知制御情報に含まれるタイマ値に、自身のタイマ値を合わせる補正をするタイマと、
複数の無線受信装置との間で等しく設定された所定の待機時間を記憶しておく待機時間記憶部と、
前記無線送信装置から受信したデータを蓄積して、前記データに付加されたタイムスタンプに、前記待機時間記憶部に記憶された待機時間を加えた値が、前記タイマから通知されたタイマ値以下の場合に前記データを外部に出力するデータ蓄積部とを具備することを特徴とする無線受信装置。
【請求項３】
前記無線送信装置はさらに、前記無線受信装置が前記データを外部に出力するまでに待機すべき待機時間を生成する待機時間生成部を具備し、前記送信部はさらに、前記待機時間の通知を行うことを特徴とする請求項１記載の無線送信装置。
【請求項４】
前記無線受信装置の前記受信部はさらに、前記無線送信装置から前記データを出力するまで待機すべき待機時間を受信し、前記待機時間記憶部は、前記待機時間を記憶することを特徴とする請求項２記載の無線受信装置。
【請求項５】
前記待機時間記憶部はさらに、前記無線受信装置の外部においてデータの処理に要する外部処理時間を記憶し、前記データ蓄積部は、前記無線送信装置から受信したデータを蓄積して、前記データに付加されたタイムスタンプに、前記待機時間記憶部に記憶された待機時間を加え、さらに前記待機時間記憶部に記憶された前記外部処理時間を引いた値が、前記タイマから通知されたタイマ値以下の場合に、前記データを外部に出力することを特徴とする請求項２記載の無線受信装置。
【請求項６】
報知制御情報の送受信タイミングの同期に使用されるタイマ値を所定時間間隔毎に更新するタイマと、
通信相手の無線受信装置に送信するデータにタイムスタンプを付加するタイムスタンプ付加部と、
前記タイマが示すタイマ値とタイムスタンプとの対応情報を記憶するタイムスタンプ対応情報記憶部と、
前記タイマが示すタイマ値を含む報知制御情報と、前記タイムスタンプ対応情報記憶部に記憶されているタイマ値とタイムスタンプとの対応情報と、前記タイムスタンプ付加部が出力するデータとを無線を介して前記無線受信装置に送信する送信部とを具備することを特徴とする無線送信装置。
【請求項７】
通信相手の無線送信装置から無線を介して送信される報知制御情報とデータを受信する受信部と、
前記無線送信装置から送信される前記報知制御情報と、タイマ値とタイムスタンプとの対応情報と、前記データとを受信する受信部と、
前記報知制御情報の送受信タイミングの同期に使用され、前記無線送信装置から受信した前記報知制御情報に含まれるタイマ値に、自身のタイマ値を合わせる補正をするタイマと、
複数の無線受信装置との間で等しく設定された所定の待機時間を記憶しておく待機時間記憶部と、
前記受信部が受信したタイマ値とタイムスタンプとの対応情報を記憶し、前記タイマが示すタイマ値をタイムスタンプに変換する出力タイミング調整部と、
前記無線送信装置から受信したデータを蓄積して、前記データに付加されたタイムスタンプに、前記待機時間記憶部に記憶された待機時間を加えた値が、前記出力タイミング調整部から通知されたタイムスタンプ以下の場合に、前記データを外部に出力するデータ蓄積部とを具備することを特徴とする無線受信装置。
【発明の詳細な説明】
【技術分野】
【０００１】
本発明は、無線を使用したホームシアターシステムに適用可能な無線送信装置および無線受信装置に関する。
【背景技術】
【０００２】
従来の無線を使用したホームシアターシステム向けの無線送信装置および無線受信装置として特許文献１に開示されたものが知られている。
【０００３】
特許文献１において、機器Ａ（無線送信装置）はディスプレイを備え、機器Ｂ（無線受信装置）と機器Ｃ（無線受信装置）はスピーカを備えている。機器Ａは音声情報を機器Ｂと機器Ｃに対して無線を介して送信する。機器Ａと機器Ｂと機器Ｃとは、基準時刻電波受信部を備えており、長波基準時刻を受信して自システムクロックの補正を随時行う。また、機器Ａは機器Ｂと機器Ｃに対してタイムスタンプ要求を行い、その応答を受信する。機器Ａは機器Ｂと機器Ｃとからの応答に記述されている時刻ｔ２と、タイムスタンプ要求を送信した時刻ｔ１との差分ｔ２−ｔ１を求め、この差分及び音声データの送信時刻を考慮して、音声の出力時刻を定め、出力時刻を含む音声データのパケットを機器Ｂ、機器Ｃに送信する。機器Ｂ、Ｃは指定された出力時刻に音声出力を開始し、機器Ａは伝送遅延に相当する時間だけ待った後に映像信号の表示を開始する。
【０００４】
上記した構成により、左右二つのスピーカに対して無線で音声データを送信する場合においても、左右のスピーカにおいて、音声が同期して再生されることが可能となる。
【特許文献１】特開２００４−１９３８６８公報（４〜５頁、図１）
【発明の開示】
【発明が解決しようとする課題】
【０００５】
しかしながら、上記した特許文献１に開示されたシステムでは、無線区間における誤りによる再送が考慮されていない。すなわち、無線区間においては、伝送誤りにより音声データの再送が発生し得る。これにより、音声データのスピーカへの到着時刻にジッタが発生し、音声がスムーズに再生されないという問題が生じる。この場合、左右のスピーカでの音声の同期を取ることは不可能となる。
【０００６】
また、上記した特許文献１に開示されたシステムでは、音声のみを無線でスピーカに送信することを想定している。従って、音声に加えて映像をも無線で伝送する場合には、映像と音声とで、受信後の処理時間が異なるため、音声と映像との出力を同期させることができない。さらに、全ての機器が長波基準時刻を受信する必要があり、基準時刻電波受信部を備えることが必要である。これは、機器を製造する上でのコストが高価になるという問題がある。
【０００７】
本発明は、上述した問題点に鑑みてなされたもので、無線区間の伝送誤りにより映像、音声データの再送が発生した場合においても、複数のスピーカ及びモニタとの間で音声、映像の再生を同期させることが可能な無線送信装置及び無線受信装置を提供することを目的とする。
【課題を解決するための手段】
【０００８】
上記課題を解決するために、本発明の無線送信装置は、報知制御情報の送受信タイミングの同期に使用されるタイマ値を所定時間間隔毎に更新するタイマと、通信相手の無線受信装置に送信するデータに前記タイマが示すタイマ値を付加するタイムスタンプ付加部と、前記タイマが示すタイマ値を含む報知制御情報と、前記タイムスタンプ付加部が出力するデータとを無線を介して前記無線受信装置に送信する送信部とを具備することを特徴とする。
【０００９】
さらに本発明の無線受信装置は、通信相手の無線送信装置から無線を介して送信される報知制御情報とデータを受信する受信部と、前記報知制御情報の送受信タイミングの同期に使用され、前記無線送信装置から受信した報知制御情報に含まれるタイマ値に、自身のタイマ値を合わせる補正をするタイマと、複数の無線受信装置との間で等しく設定された所定の待機時間を記憶しておく待機時間記憶部と、前記無線送信装置から受信したデータを蓄積して、前記データに付加されたタイムスタンプに、前記待機時間記憶部に記憶された待機時間を加えた値が、前記タイマから通知されたタイマ値以下の場合に前記データを外部に出力するデータ蓄積部とを具備することを特徴とする。
【００１０】
さらに本発明の無線送信装置は、報知制御情報の送受信タイミングの同期に使用されるタイマ値を所定時間間隔毎に更新するタイマと、通信相手の無線受信装置に送信するデータにタイムスタンプを付加するタイムスタンプ付加部と、前記タイマが示すタイマ値とタイムスタンプとの対応情報を記憶するタイムスタンプ対応情報記憶部と、前記タイマが示すタイマ値を含む報知制御情報と、前記タイムスタンプ対応情報記憶部に記憶されているタイマ値とタイムスタンプとの対応情報と、前記タイムスタンプ付加部が出力するデータとを無線を介して前記無線受信装置に送信する送信部とを具備することを特徴とする。
【００１１】
さらに、本発明の無線受信装置は、通信相手の無線送信装置から無線を介して送信される報知制御情報とデータを受信する受信部と、前記無線送信装置から送信される前記報知制御情報と、タイマ値とタイムスタンプとの対応情報と、前記データとを受信する受信部と、前記報知制御情報の送受信タイミングの同期に使用され、前記無線送信装置から受信した前記報知制御情報に含まれるタイマ値に、自身のタイマ値を合わせる補正をするタイマと、複数の無線受信装置との間で等しく設定された所定の待機時間を記憶しておく待機時間記憶部と、前記受信部が受信したタイマ値とタイムスタンプとの対応情報を記憶し、前記タイマが示すタイマ値をタイムスタンプに変換する出力タイミング調整部と、前記無線送信装置から受信したデータを蓄積して、前記データに付加されたタイムスタンプに、前記待機時間記憶部に記憶された待機時間を加えた値が、前記出力タイミング調整部から通知されたタイムスタンプ以下の場合に、前記データを外部に出力するデータ蓄積部とを具備することを特徴とする。
【発明の効果】
【００１２】
本発明によれば、報知制御情報の送受信タイミングの同期に使用されるタイマ値を音声，映像の送信データに付加して送信することにより、簡易な方法で、再生されるデータの高精度な同期が可能となる。
【発明を実施するための最良の形態】
【００１３】
以下、本発明の実施形態について説明する。
【実施例】
【００１４】
（第１の実施形態）
図１は、本発明の第１の実施の形態に係わる無線送信装置の構成を示すブロック図である。無線送信装置１０１は、無線システムにおいて、報知制御情報の送受信タイミングの同期に使用されるタイマ値を所定時間間隔毎に更新するタイマ１０２、外部から入力されるオーディオデータ（音声データ）、ビデオデータ（映像データ）に対してタイムスタンプとしてタイマ１０２が示すタイマ値を付加するタイムスタンプ付加部１０３、タイマ１０２が示すタイマ値を含む報知制御情報の報知とタイムスタンプ付加部１０３が出力するデータとを無線を介して送信する送信部１０４を備えている。
【００１５】
図２は、本発明の第１の実施の形態に係わる無線受信装置の構成を示すブロック図である。無線受信装置２０１は、図１のブロック図に示す無線送信装置１０１から無線を介してデータを受信する無線受信装置であって、無線システムにおいて、無線送信装置１０１から送信される報知制御情報とデータとを受信する受信部２０２、報知制御情報の送受信タイミングの同期に使用され、無線送信装置１０１から受信した報知制御情報に含まれるタイマ値に、自身のタイマ値を合わせるように補正するタイマ２０３、複数の無線受信装置２０１との間で等しく設定された所定の待機時間を記憶しておく待機時間記憶部２０４、無線送信装置１０１から受信したデータを蓄積して、データに付加されたタイムスタンプに、待機時間記憶部２０４に記憶された待機時間を加えた値がタイマ２０３から通知されたタイマ値以下となった場合に、データを外部に出力するデータ蓄積部２０５を備えている。本実施形態では、無線システムとして、無線ＬＡＮの規格であるＩＥＥＥ２０２．１１規格に準拠した無線送信装置、無線受信装置を仮定した例について説明する。この場合、タイマ１０２、２０３は、ＩＥＥＥ２０２．１１規格の無線ＬＡＮにおけるＴＳＦタイマを用いる。ＴＳＦタイマの示すタイマ値は、ＢＥＡＣＯＮと呼ばれる報知制御情報により、無線送信装置１０１から無線受信装置２０１に対して、所定時間間隔毎に報知される。
【００１６】
次に、上述した無線送信装置１０１及び無線受信装置２０１の動作について、図３の流れ図を参照しつつ説明する。なお、図３の流れ図においては、図４のブロック図に示すホームシアターシステムを一例として仮定している。すなわち、図３における無線送信装置１０１を、図４におけるアクセスポイント１０１と仮定し、無線受信装置２０１をモニタ２０１ａ，第１のスピーカ２０１ｂ，第２のスピーカ２０１ｃと仮定する。また、図３の各無線受信装置は、図２に示した無線受信装置２０１の構成を備える。図３の流れ図においては、一つの無線送信装置１０１に対して、３台の無線受信装置２０１が接続された例を示しているが、無線受信装置２０１の台数に関してはこれに限定するものではない。
【００１７】
まず、無線送信装置１０１は所定時間間隔ごとにＢＥＡＣＯＮを報知している。このＢＥＡＣＯＮには、無線送信装置内のＴＳＦタイマであるタイマ１０２の示すタイマ値に基づいた値が含まれている（Ｓ１０１）。ＢＥＡＣＯＮを受信した各無線受信装置は、自身が持っているＴＳＦタイマであるタイマ２０３を、ＢＥＡＣＯＮに含まれるタイマ値に合わせるように補正する。これにより、無線送信装置と各無線受信装置とのタイマは、常時同一のタイマ値を示すことになる。
【００１８】
次に、無線送信装置１０１は、ビデオデータ及びオーディオデータを、無線受信装置に対して送信する（Ｓ１０２）。この際、無線送信装置１０１はビデオデータ及びオーディオデータに対して、タイムスタンプとして、無線送信装置１０１の持っているタイマ１０２の示す値（Ｔ’）を付加して送信する。各無線受信装置においては、ビデオデータまたはオーディオデータを受信部２０２が受信した後、データ蓄積部２０５が、待機時間記憶部２０４が記憶している予め設定された所定時間（ΔＴ）だけ、ビデオデータまたはオーディオデータを待機させた後、外部に出力する。すなわち、データ蓄積手段２０５は、蓄積しているビデオデータまたはオーディオデータのタイムスタンプと、タイマ２０３が示すタイマ値（Ｔ）との関係が、Ｔ≧Ｔ’＋ΔＴとなった場合、ビデオデータまたはオーディオデータを外部に出力する。ここで、待機時間記憶部２０４が記憶する所定時間（ΔＴ）は各無線受信装置間で予め同一の値に設定されている。
【００１９】
以上で説明した動作により、各無線受信装置において出力されるビデオデータ及びオーディオデータの同期を取ることが可能になる。すなわち、図４におけるホームシアターシステムにおいて、モニタ及びスピーカにおけるビデオ、オーディオの出力が同期し、また、複数のスピーカが存在する場合においても、複数のスピーカ間でオーディオの出力を同期させることが可能となる。また、無線受信装置において、受信したビデオデータ及びオーディオデータを所定時間蓄積することにより、無線送信装置と無線受信装置との間の無線伝播環境の悪化等により、ビデオデータあるいはオーディオデータの再送が発生した場合においても、モニタとスピーカとの間、及びスピーカ同士との間でビデオ、オーディオの出力を同期させることが可能となる。これにより、視聴者にとって自然なビデオ及びオーディオの再生を提供するホームシアターシステムが実現可能となる。
【００２０】
さらに、ＩＥＥＥ２０２．１１規格の無線ＬＡＮに備わっているＢＥＡＣＯＮの送受信タイミングの同期のために使用されているＴＳＦタイマの機構を用いているため、ビデオ、オーディオの出力の同期用に新たなタイマ等を不要とすることができ、ホームシアターシステムの製造コストを低く抑えることが可能となる。
【００２１】
（第２の実施の形態）
次に本発明の第２の実施の形態について、図５、図６、図８のブロック図と図７の流れ図とを参照しつつ説明する。
【００２２】
図５は、本発明の第２の実施の形態に係わる無線送信装置の構成を示すブロック図である。図１と同じ箇所には同じ参照符号を附し、詳細な説明は省略する。図５において図１と異なる点は、無線受信装置が受信したデータを出力するまでに待機すべき待機時間を生成する待機時間生成部１０５が追加された点である。
【００２３】
図６は、本発明の第２の実施の形態に係わる無線受信装置の構成を示すブロック図である。図２と同じ箇所には同じ参照符号を附し、詳細な説明は省略する。図６において図２と異なる点は、受信部２０２が無線送信装置１０１から送信される報知制御情報，データ，データを出力するまで待機すべき待機時間とを受信し、受信した待機時間を待機時間記憶部１０４に記憶させるようにした点である。本実施形態でも無線システムとして、ＩＥＥＥ２０２．１１規格で定められる無線ＬＡＮを仮定する。
【００２４】
図７は、無線送信装置と無線受信装置の動作を示す流れ図である。なお、図７の流れ図においても図４のブロック図に示すホームシアターシステムを一例として仮定している。
【００２５】
まず、無線送信装置は所定時間間隔ごとにＢＥＡＣＯＮを報知している。このＢＥＡＣＯＮには、無線送信装置内のＴＳＦタイマであるタイマ１０２の示すタイマ値に基づいた値が含まれている（Ｓ２０１）。ＢＥＡＣＯＮを受信した各無線受信装置は、自身が持っているＴＳＦタイマであるタイマ２０３を、ＢＥＡＣＯＮに含まれるタイマ値に合わせるように補正する。これにより、無線送信装置と各無線受信装置とのタイマは、常時同一のタイマ値を示すことが可能となる。
【００２６】
次に、無線送信装置は待機時間生成部１０５が生成した待機時間を報知する（Ｓ２０２）。この待機時間は、ビデオデータ、あるいはオーディオデータを受信した無線受信装置が、ビデオデータ、あるいはオーディオデータを外部に出力までに待機する時間である。各無線受信装置は、待機時間を受信すると、待機時間記憶部１０４が記憶する。このように、無線送信装置が待機時間を報知し、無線受信装置がこれを記憶することにより、各無線受信装置における待機時間の設定が等しくなる。なお、ここで、無線送信装置は待機時間を報知するものと仮定したが、報知せずに、各無線受信装置に対して個別に送信しても良い。
【００２７】
次に、無線送信装置はビデオデータ、及びオーディオデータを、無線受信装置に対して送信する（Ｓ２０３）。この際、無線送信装置はビデオデータ、及びオーディオデータに対して、タイムスタンプとして、無線送信装置の持っているタイマ１０２の示す値（Ｔ’）を付加して送信する。各無線受信装置においては、ビデオデータ、またはオーディオデータを受信部２０２が受信した後、データ蓄積部２０５が、待機時間記憶部１０４が記憶している、無線送信装置から受信した所定の待機時間（ΔＴ）だけ、ビデオデータまたはオーディオデータを待機させた後、外部に出力する。すなわち、データ蓄積部２０５は、蓄積しているビデオデータまたはオーディオデータのタイムスタンプと、タイマ２０３が示すタイマ値（Ｔ）との関係が、Ｔ≧Ｔ’＋ΔＴとなった場合、ビデオデータまたはオーディオデータを外部に出力する。
【００２８】
ここで、無線受信装置が、図８のブロック図に示すような構成の場合について説明する。図８において、無線受信装置２０１は、外部に接続されているＡＶ処理部２０６においてデータの処理にかかる外部処理時間を待機時間記憶部２０４に記憶しておく。待機時間記憶部２０４は、無線送信装置１０１から受信したデータを蓄積して、データに付加されたタイムスタンプに、待機時間記憶部２０４に記憶された待機時間を加え、さらに記憶された外部処理時間を引いた値が、タイマ２０３から通知されたタイマ値以下の場合に、データ蓄積部２０５がデータを外部に出力するようにする。
【００２９】
上述した構成における無線受信装置２０１の動作例について再び図７を用いて説明する。まず、無線送信装置はＢＥＡＣＯＮを報知し（Ｓ２０１）、次に、待機時間生成部１０５が生成した待機時間を報知する（Ｓ２０２）。これらの動作については、以上での説明と同様な動作であるためここでは省略する。
【００３０】
次に、無線送信装置はビデオデータ、及びオーディオデータを、無線受信装置に対して送信する（Ｓ２０３）。この際、無線送信装置はビデオデータ、及びオーディオデータに対して、タイムスタンプとして、無線送信装置の持っているタイマ１０２の示す値（Ｔ’）を付加して送信する。各無線受信装置においては、ビデオデータ、またはオーディオデータを受信部２０２が受信した後、データ蓄積部２０５が、所定時間だけ待機させた後、外部に接続されているＡＶ処理部２０６に対して出力する。ここで、所定時間とは、待機時間記憶部２０４が記憶している、無線送信装置から受信した所定の待機時間（ΔＴ）から、ＡＶ処理部２０６における外部処理時間（Ｔｐ）を引いた時間である。すなわち、データ蓄積部２０５は、蓄積しているビデオデータまたはオーディオデータのタイムスタンプ（Ｔ’）と、タイマ２０３が示すタイマ値（Ｔ）との関係が、Ｔ≧Ｔ’＋ΔＴ−Ｔｐとなった場合、ビデオデータまたはオーディオデータを外部に出力する。なお、ＡＶ処理部２０６としては、ＭＰＥＧデコーダ、オーディオデコーダなどが挙げられ、外部処理時間Ｔｐについては、ＡＶ処理部２０６が待機時間記憶部２０４に通知する方法や、無線送信装置１０１が無線を介して待機時間記憶部２０４に通知する方法などがある。また、外部処理時間Ｔｐ自体を通知せずに、例えばビデオデータに施されているＭＰＥＧ符号化レートを待機時間記憶部２０４に通知し、待機時間記憶部２０４がＭＰＥＧ符号化レートから外部処理時間Ｔｐを求める方法もある。
【００３１】
以上で説明した動作により、各無線受信装置において出力されるビデオデータ、及びオーディオデータの同期を取ることが可能になる。すなわち、図４におけるホームシアターシステムにおいて、モニタ、及びスピーカにおける、ビデオ、オーディオの出力が同期し、また、複数のスピーカが存在する場合においても、複数のスピーカ間でオーディオの出力を同期させることが可能となる。この際、無線受信装置において、ビデオデータ、及びオーディオデータを待機させる待機時間を、無線送信装置が定めて報知することにより、各無線受信装置において予め設定することを不要とすることが可能となる。また、無線受信装置において、受信したビデオデータ及びオーディオデータを所定時間蓄積することにより、無線送信装置と無線受信装置との間の無線伝播環境の悪化等により、ビデオデータ、あるいはオーディオデータの再送が発生した場合においても、上記のように、モニタとスピーカとの間、及びスピーカ同士との間でビデオ、オーディオの出力を同期させることが可能となる。以上により、視聴者にとって自然なビデオ及びオーディオの再生を提供するホームシアターシステムを実現可能となる。
【００３２】
さらに、図８に示すような無線受信装置によれば、無線受信装置ごとに、外部に接続されたＭＰＥＧデコーダ、オーディオデコーダ等のＡＶ処理部における外部処理時間が異なる場合にも、ＡＶ処理部からのビデオデータ、及びオーディオデータの出力を同期させることができ、結果としてビデオ、オーディオの再生を同期させることが可能となる。さらに、ＩＥＥＥ２０２．１１規格の無線ＬＡＮに備わっているＴＳＦタイマの機構を用いているため、ビデオ、オーディオの出力の同期のための新たなタイマ等を不要とすることができ、ホームシアターシステムの製造コストを低く抑えることが可能となる。
【００３３】
（第３の実施の形態）
本発明の第３の実施の形態について、図９、図１０のブロック図と図１１の流れ図とを参照しつつ説明する。
【００３４】
図９は本発明の第３の実施の形態に係わる無線送信装置の構成を示すブロック図である。図９において、図１と同じ箇所には同じ参照符号を附し、詳細な説明は省略する。図９において図１と異なる点は、タイマ１０２が示すタイマ値を含む報知制御情報の報知と、タイマ１０２が示すタイマ値とタイムスタンプとの対応情報を記憶するタイムスタンプ対応情報記憶部１０６を備えた点である。送信部１０４は、タイマ１０２が示すタイマ値を含む報知制御情報と、タイムスタンプ対応情報記憶部１０６に記憶されているタイマ値とタイムスタンプとの対応情報と、タイムスタンプ付加部１０３が出力するデータとを、無線を介して送信する送信する。
【００３５】
図１０は本発明の第３の実施の形態に係わる無線受信装置の構成を示すブロック図である。図２と同じ箇所には同じ参照符号を附し、詳細な説明は省略する。図１０において図２と異なる点は、受信部２０２が受信したタイマ値とタイムスタンプとの対応情報を記憶し、タイマ２０３が示すタイマ値をタイムスタンプに変換する出力タイミング調整部２０７を設けた点である。無線送信装置１０１から受信したデータを蓄積して、データに付加されたタイムスタンプに、待機時間記憶部２０４に記憶された待機時間を加えた値が、出力タイミング調整部２０７から通知されたタイムスタンプ以上の場合に、データ蓄積部２０５はデータを外部に出力する。本実施形態においても無線システムとして、無線ＬＡＮの規格であるＩＥＥＥ２０２．１１規格に準拠した無線送信装置、無線受信装置を仮定する。この場合において、タイマ１０２、２０３としては、ＩＥＥＥ２０２．１１規格の無線ＬＡＮにおけるＴＳＦタイマを用い、ＴＳＦタイマの示すタイマ値は報知制御情報であるＢＥＡＣＯＮにより、無線送信装置１０１から無線受信装置２０１に対して、所定時間間隔毎に報知される。
【００３６】
図１１は、無線送信装置と無線受信装置の動作を示す流れ図である。図１１の流れ図においてもこれまでの実施形態と同様、図４のブロック図に示すホームシアターシステムを一例として仮定しており、無線受信装置の台数に関しては３台に限定するものではない。
【００３７】
まず、無線送信装置は所定時間間隔ごとに、ＢＥＡＣＯＮを報知している。このＢＥＡＣＯＮには、無線送信装置内のＴＳＦタイマであるタイマ１０２の示すタイマ値に基づいた値が含まれている（Ｓ３０１）。ＢＥＡＣＯＮを受信した各無線受信装置は、自身が持っているＴＳＦタイマであるタイマ２０３を、ＢＥＡＣＯＮに含まれるタイマ値に合わせるように補正する。これにより、無線送信装置と各無線受信装置とのタイマは、常時同一のタイマ値を示す。
【００３８】
次に、タイムスタンプ対応情報記憶部１０６に記憶されているタイマ値とタイムスタンプとの対応情報を報知する（Ｓ３０２）。対応情報は、タイマ１０２の示すタイマ値と、ビデオデータ、及びオーディオデータに付加されるタイムスタンプとの対応関係を示した情報である。無線受信装置２０１においては、出力タイミング調整部２０７が、受信部２０２が受信したタイマ値とタイムスタンプとの対応情報を記憶する。なお、対応情報の報知は所定時間ごとに行っても良く、また、報知せずに、各無線受信装置に対して個別に送信しても良い。
【００３９】
次に、無線送信装置はビデオデータ、及びオーディオデータを、無線受信装置に対して送信する（Ｓ３０３）。この際、無線送信装置はビデオデータ、及びオーディオデータに対して、タイムスタンプを付加して送信する。各無線受信装置においては、ビデオデータ、またはオーディオデータを受信部２０２が受信した後、データ蓄積部２０５が、待機時間記憶部２０４が記憶している予め設定された所定時間（ΔＳ）だけ、ビデオデータまたはオーディオデータを待機させた後、外部に出力する。すなわち、出力タイミング調整部２０７は、受信部２０２が受信したタイマ値（Ｔ）とタイムスタンプ（Ｓ）との対応情報を記憶し、タイマ２０３が示すタイマ値（Ｔ）をタイムスタンプ（Ｓ）に変換する。さらに、データ蓄積部２０５は、無線送信装置１０１から受信したデータを蓄積して、データに付加されたタイムスタンプ（Ｓ’）に、待機時間記憶部２０４に記憶された待機時間（ΔＳ）を加えた値が、出力タイミング調整部２０７から通知されたタイムスタンプ（Ｓ）以下の場合に、データを外部に出力する。つまり、データ蓄積手段２０５は、蓄積しているビデオデータまたはオーディオデータのタイムスタンプ（Ｓ’）と、出力タイミング調整部２０７が示すタイムスタンプ値（Ｓ）との関係が、Ｓ≧Ｓ’＋ΔＳとなった場合、ビデオデータまたはオーディオデータを外部に出力する。ここで、待機時間記憶部２０４が記憶する待機時間（ΔＳ）は各無線受信装置間で予め同一の値に設定されている。または、第二の実施の形態で説明したように、無線送信装置が各無線受信装置に対して、所定の待機時間（ΔＳ）を通知しても良い。
【００４０】
さらに、第二の実施の形態で説明したように、待機時間記憶部２０４が記憶している、所定の待機時間（ΔＳ）から、無線受信装置の外部に接続されているＡＶ処理部２０６における外部処理時間を引いた時間だけ、ビデオデータあるいはオーディオデータの出力を待機させても良い。
【００４１】
以上で説明した動作により、ビデオデータ、及びオーディオデータに付加されるタイムスタンプとして、ＩＥＥＥ２０２．１１規格の無線ＬＡＮにおけるＴＳＦタイマの値を使用しない場合でも、各無線受信装置において出力されるビデオデータ、及びオーディオデータの同期を取ることが可能になる。すなわち、図４におけるホームシアターシステムにおいて、モニタ、及びスピーカにおける、ビデオ、オーディオの出力が同期し、また、複数のスピーカが存在する場合においても、複数のスピーカ間でオーディオの出力を同期させることが可能となる。この際、無線受信装置において、ビデオデータ、及びオーディオデータを待機させる待機時間を、無線送信装置が定めて報知することにより、各無線受信装置において予め設定することを不要とすることが可能となる。また、無線受信装置において、受信したビデオデータ及びオーディオデータを所定時間蓄積することにより、無線送信装置と無線受信装置との間の無線伝播環境の悪化等により、ビデオデータ、あるいはオーディオデータの再送が発生した場合においても、上記のように、モニタとスピーカとの間、及びスピーカ同士との間でビデオ、オーディオの出力を同期させることが可能となる。以上により、視聴者にとって自然なビデオ及びオーディオの再生を提供するホームシアターシステムを実現可能となる。
【００４２】
さらに、各無線受信装置の外部に接続されたＡＶ処理部での処理時間を考慮することにより、無線受信装置ごとに、外部に接続されたＭＰＥＧデコーダ、オーディオデコーダ等のＡＶ処理部における外部処理時間が異なる場合にも、ＡＶ処理部からのビデオデータ、及びオーディオデータの出力を同期させることができ、結果としてビデオ、オーディオの再生を同期させることが可能となる。また、ＩＥＥＥ２０２．１１規格の無線ＬＡＮに備わっているＴＳＦタイマの機構を用いているため、ビデオ、オーディオの出力の同期のための新たなタイマ等を不要とすることができ、ホームシアターシステムの製造コストを低く抑えることが可能となる。
【００４３】
以上、本発明の実施形態について説明したが、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４４】
【図１】本発明の第一の実施の形態に係る無線送信装置の構成例を示すブロック図。
【図２】本発明の第一の実施の形態に係る無線受信装置の構成例を示すブロック図。
【図３】本発明の第一の実施の形態に係る無線送信装置と無線受信装置の動作を示す流れ図。
【図４】本発明に係るホームシアターシステムの構成例を示すブロック図。
【図５】本発明の第二の実施の形態に係る無線送信装置の構成例を示すブロック図。
【図６】本発明の第二の実施の形態に係る無線受信装置の構成例を示すブロック図。
【図７】本発明の第二の実施の形態に係る無線送信装置と無線受信装置の動作を示す流れ図。
【図８】本発明の第二の実施の形態に係る無線受信装置の構成例を示すブロック図。
【図９】本発明の第三の実施の形態に係る無線送信装置の構成例を示すブロック図。
【図１０】本発明の第三の実施の形態に係る無線受信装置の構成例を示すブロック図。
【図１１】本発明の第三の実施の形態に係る無線送信装置と無線受信装置の動作を示す流れ図。
【符号の説明】
【００４５】
１０１・・・無線送信装置
１０２・・・タイマ
１０３・・・タイムスタンプ付加部
１０４・・・送信部
１０５・・・待機時間生成部
１０６・・・タイムスタンプ対応情報記憶部
２０１・・・無線受信装置
２０２・・・受信部
２０３・・・タイマ
２０４・・・待機時間記憶部
２０５・・・データ記憶部
２０６・・・ＡＶ処理部
２０７・・・出力タイミング調整部
【図１】
2007096971.tif 000003
【図２】
2007096971.tif 000004
【図３】
2007096971.tif 000005
【図４】
2007096971.tif 000006
【図５】
2007096971.tif 000007
【図６】
2007096971.tif 000008
【図７】
2007096971.tif 000009
【図８】
2007096971.tif 000010
【図９】
2007096971.tif 000011
【図１０】
2007096971.tif 000012
【図１１】
2007096971.tif 000013